(57)【要約】 【課題】 本発明はメガネに付着してメガネと共に眼の周りに着用して、疲労回復または目疾患の改善のための薬物の皮膚浸透が可能になったメガネ形態の着用型薬物担体器具装置を提供すること。 【解決手段】本発明に係るメガネ形態の着用型薬物担体器具装置は、薬材が含有された薬物伝達体を含む薬物担体と、該薬物担体をメガネのフレームに着脱自在に取り付けるための取付手段とを備える。取付手段は前記薬物担体から延びて前記メガネのフレームにかかるように端部が折り曲げられた取付爪よりなるか、前記メガネのフレームは磁石と磁気結合の可能な金属材であり、前記取付手段は前記メガネフレームに磁気結合される永久磁石を含める。または前記メガネのフレームには前記薬物担体が付着される面に複数の引込溝が形成されており、前記取付手段は前記薬物担体から突出され前記引込溝に挿入される取付突起を含むこともできる。これにより、メガネに付着されて日常生活中に眼の周りに薬物が浸透されるようにすることから、別のパッド固定体を具備するのにかかる費用負担と異物感を最小化でき、平常に着用するメガネに付着されるので、便宜性を極大化することができる。 【選択図】 図１
2013545144.tif 000002
【特許請求の範囲】
【請求項１】
薬材が含有された薬物担体と、 
前記薬物担体をメガネのフレームに着脱自在に取り付けるための取付手段と、を備えることを特徴とするメガネ形態の着用型薬物担体器具装置。 
【請求項２】
前記取付手段は前記薬物担体から延び、前記メガネのフレームにかかるように端部が折り曲げられた取付爪よりなることを特徴とする請求項１に記載のメガネ形態の着用型薬物担体器具装置。 
【請求項３】
前記メガネのフレームは磁石と磁気結合の可能な金属材であり、 
前記取付手段は前記メガネフレームに磁気結合される永久磁石を含むことを特徴とする請求項１に記載のメガネ形態の着用型薬物担体器具装置。 
【請求項４】
前記メガネのフレームには前記薬物担体が付着される面に複数の引込溝が形成されており、 
前記取付手段は前記薬物担体から突出され、前記引込溝に挿入される取付突起を含むことを特徴とする請求項１に記載のメガネ形態の着用型薬物担体器具装置。 
【請求項５】
前記薬物担体は着用者の鼻の背に安着できるように中央から両端に延びるほど下方に傾斜して形成されており、下面には前記薬物伝達体が形成されており、 
前記取付手段は前記薬物担体から上方に延び、レンズを囲むリムを相互連結するブリッジにかかる連結爪よりなり、 
前記薬物担体の上面には前記メガネのノーズパッドの安着されるノーズパッド安着部が設けられることを特徴とする請求項１に記載のメガネ形態の着用型薬物担体器具装置。 
【請求項６】
前記取付手段は前記薬物担体が前記メガネのフレームと接触する接触面上に塗布された接着性物質よりなることを特徴とする請求項１に記載のメガネ形態の着用型薬物担体器具装置。 
【請求項７】
前記薬物担体は前記取付手段により前記メガネフレームに装着されるベースフレームと、
前記ベースフレームに着脱自在に設けられる薬物シートとを備えることを特徴とする請求項１ないし６のうちいずれか１項に記載のメガネ形態の着用型薬物担体器具装置。 
【請求項８】
前記ベースフレームには前記薬物シートの薬材が容易に発散できるように前記薬物シートが付着される付着面に磁石部材が設けられることを特徴とする請求項７に記載のメガネ形態の着用型薬物担体器具装置。 
【請求項９】
前記薬物担体は前記薬物シートが付着されたベースフレームの付着面に結合され、前記薬物シートの薬剤が吐き出せるように複数の吐出孔が形成されているカバーフレームをさらに備え、 
前記ベースフレームには前記薬物シートが付着された付着部と連通される気孔が外部と前記付着面を連通するように形成されていることを特徴とする請求項７に記載のメガネ形態の着用型薬物担体器具装置。 
【請求項１０】
前記メガネは３Ｄ立体映像を視聴するための偏光レンズが装着されたり、 
前記メガネのフレームに着脱自在に結合され３Ｄ立体映像の視聴のための偏光レンズを含む偏光レンズ部をさらに備えることを特徴とする請求項１ないし６のうちいずれか１項に記載のメガネ形態の着用型薬物担体器具装置。 
【請求項１１】
前記取付手段は前記メガネのフレームに形成されており、前記薬物担体が安着できる所定の安着空間を提供する安着部材を備え、
前記安着部材は前記薬物シートが付着される付着部と、該付着部の両側縁に所定高さに突出されたガイド部を含むことを特徴とする請求項１に記載のメガネ形態の着用型薬物担体器具装置。 
【請求項１２】
前記安着部材は、前記付着部に設けられ、前記付着部に付着される薬物シートに含まれた薬材を活性化させる磁石をさらに備えることを特徴とする請求項１１に記載のメガネ形態の着用型薬物担体器具装置。 
【請求項１３】
前記メガネのフレームには視力矯正のための矯正用レンズを含む矯正レンズフレームが着脱自在に結着されることを特徴とする請求項１に記載のメガネ形態の着用型薬物担体器具装置。 
【請求項１４】
前記薬物担体は、薬材成分を含む粉末、カプセルまたはゲルタイプのうちいずれか一つの形態に形成されることを特徴とする請求項１ないし６のうちいずれか１項に記載のメガネ形態の着用型薬物担体器具装置。 
【発明の詳細な説明】
【技術分野】
【０００１】
本発明はメガネ形態の着用型薬物担体器具装置に係り、さらに詳しくは顔面部の皮膚または粘膜に薬物を投与できるようにメガネに付着し、特にメガネの形態によって薬物担体の形態と取付手段を異にするメガネ形態の着用型薬物担体器具装置に関する。 
【背景技術】
【０００２】
人の眼は眼球と視神經とからなっており、眼の疾病と障害によって多様な症状を発現し、これらの治療方法は薬物を直接に服用する経口投与方式や皮膚または粘膜を通して直接に眼球に投与する方法などがあるが、経口投与方式は薬物の主な有効成分が肝を通過しつつ治療効果が半減する問題点があって、直接に眼球に藥物を投与する方法が考慮されている。
【０００３】
また、最近、日常生活における殆どの仕事がコンピュータにより行われるので、長時間モニターを見つめたり、電子画面を見つめる時間が延びることによって、眼に加わる疲労も極大化しており、さらに最近は３Ｄ ＴＶのような機能的な特殊画面を見つめるための特殊メガネまたは３Ｄメガネの着用により眼の疲労が加重したり、眼睛疲勞(asthemopia)が発生した状況が引き続く場合が多いので、この状況下で眼の疲労度を効率よく軽減するのに役に立つ薬物投与方法に関する研究が盛んに行われている。 
【０００４】
さらに、日常生活において各種の眼疾患、例えば虹彩炎、角膜潰瘍、鞏膜炎、眼睛疲労、麥粒腫、緑内障、三次神経痛、結膜下出血、結膜炎、葡萄膜炎、脚疾實質炎、フリクテン、角膜炎、涙嚢炎、角結膜炎、クインケ浮腫など、多様な眼疾患に対する予防及び緩和効果を期することのできる薬物成分の投与方法に関する研究が行われている。 
【０００５】
しかし、前述したように、従来に主に使用していた薬物投与方式は、経口投与方式の場合、肝を通過しながら藥物成分の藥效が半減する問題点があり、皮膚に塗って直接に投与する方法の場合は日常生活中に適用し難いとの問題点があった。 
【発明の概要】
【発明が解決しようとする課題】
【０００６】
本発明は前述した問題点を解決するために案出されたもので、その目的はメガネに着脱自在に取り付けて、日常生活中に眼の疲労回復と眼疾患の改善のための薬物を供給できるメガネ形態の着用型薬物担体器具装置を提供するところにある。
【課題を解決するための手段】
【０００７】
前述した目的を達成するための本発明に係るメガネ形態の着用型薬物担体器具装置は、薬材が含有された薬物伝達体を含む薬物担体と、該薬物担体をメガネのフレームに着脱自在に取り付けるための取付手段とを備える。 
【０００８】
前記取付手段は前記薬物担体から延び、前記メガネのフレームにかかるように端部が折り曲げられた取付爪よりなるか、前記メガネのフレームは磁石と磁力結合の可能な金属材であり、前記取付手段は前記メガネフレームに磁気結合される永久磁石を含む場合がある。または前記メガネのフレームには前記薬物担体が付着される面に複数の引込溝が形成されており、前記取付手段は前記薬物担体から突出し、前記引込溝に挿入される取付突起を含む。
【０００９】
前記薬物担体は、着用者の鼻の背に安着できるように中央から両端に延びるほど下方に傾斜して形成されており、下面には前記薬物伝達体が形成されており、前記取付手段は前記薬物担体から上方に延び、レンズを囲むリムを相互連結するブリッジにかかる連結爪よりなり、前記薬物担体の上面には前記メガネのノーズパッドの安着されるノーズパッド安着部が設けられる。 
【００１０】
また、前記薬物担体は前記取付手段により前記メガネフレームに装着されるベースフレームと、該ベースフレームに着脱自在に設けられ、前記薬材が混合された薬物シートとを具備できる。 
【発明の効果】
【００１１】
以上説明したように本発明に係るメガネ形態の着用型薬物担体器具装置によれば、メガネに付着されて日常生活中に眼の周りの皮膚または粘膜を通して藥物が浸透されるようにすることによって、眼の疲労回復、眼疾患豫防及び緩和效果を期することができ、平常時着用するメガネに付着されるので、便宜性を極大化できる利点がある。 
【図面の簡単な説明】
【００１２】
【図１】本発明に係るメガネ形態の着用型薬物担体器具装置の第１実施例が示された斜視図、
【図２】図１の分離斜視図、
【図３】図１の断面図、
【図４】ベースフレームに磁石が付着された他の実施例を示した部分切断斜視図、
【図５】メガネの前方に偏光レンズを備える補助レンズフレームがさらに装着される実施例を示した分離斜視図、
【図６】メガネ形態の着用型薬物担体器具装置の第２実施例を示した分離斜視図、
【図７】メガネ形態の着用型薬物担体器具装置の第３実施例を示した分離斜視図、
【図８】メガネ形態の着用型薬物担体器具装置の第４実施例を示した分離斜視図、
【図９】接着シートを用いた取付手段を含むメガネ形態の着用型薬物担体器具装置を示した分離斜視図、
【図１０】メガネ形態の着用型薬物担体器具装置の第５実施例を示した分離斜視図、
【図１１】メガネ形態の着用型薬物担体器具装置の第６実施例を示した分離斜視図、
【図１２】図１１の断面図、
【図１３】メガネ形態の着用型薬物担体器具装置の第７実施例を示した斜視図、
【図１４】多数の薬物担体が装着された機能性メガネを示した分離斜視図、
【図１５】レンズフレームに薬物シートの付着される付着部が形成されている他の実施例を示した部分抜粋分離斜視図、
【図１６】メガネ形態の着用型薬物担体器具装置の第８実施例を示した分離斜視図である。
【発明を実施するための形態】
【００１３】
以下に添付図面を参照しながら、本発明に係るメガネ形態の着用型薬物担体器具装置をさらに詳しく説明する。 
【００１４】
図１ないし図３にはメガネ形態の着用型薬物担体器具装置１００の第１実施例が示されているが、本実施例のメガネ形態の着用型薬物担体器具装置１００は、薬物担体１１０と、薬物担体１１０をメガネ１０のフレーム１１に取り付けるための取付手段とを含む。 
【００１５】
一般に、メガネ１０は、ユーザの顔に着用できるようになったフレーム１１と、フレーム１１に設けられてユーザの視力保護または矯正を目的とするレンズ１６とを含む。フレーム１１はレンズ１６を囲む二つのリム１２と、リム１２を相互連結するブリッジ１３と、リム１２から後方に延びて端部がユーザの耳にかかるようになったテンプル１４とを含み、前記ブリッジ１３またはリム１２の向かい合う一側にはユーザの鼻の背に安着されるノーズパッド１５が設けられるように形成される。 
【００１６】
前記薬物担体１１０は、取付手段を通じてフレーム１１に装着され、眼の疲労回復や目疾患の改善のための薬物を供給するためのものである。 
【００１７】
薬物担体１１０はベースフレーム１１１と、該ベースフレーム１１１に装着される薬物シート１１３とを備える。 
【００１８】
ベースフレーム１１１は薄厚の環状より形成されており、中央には前後面を貫通する透視孔１１２が形成されていて、本発明のメガネ形態の着用型薬物担体器具装置１００を着用した状態でもユーザがレンズ１６を介して前方が見られるようになっている。 
【００１９】
ベースフレーム１１１はアルミニウムのような軽い金属材で形成でき、合成樹脂や不織布で形成されることもできる。
【００２０】
そして、本実施例ではベースフレーム１１１が四角フレーム状に形成されているが、その他メガネの形態によって楕円形や三角形など、色々の形態に形成でき、リム１２の上側や下側のうち選択された一側にのみ設けられるように形成することもできる。 
【００２１】
前記薬物シート１１３は、眼の疲労回復または眼疾患の改善のための抗酸化物質が含まれた多様な薬材が含有されている。 
【００２２】
眼の保護と眼の疲労回復に役に立つ成分として、ルテイン(Lutein)、ゼアキサンチン(Zeaxanthin)、メラトニン(Melatonin)、ベータカロチン(β-carotene)、Ｌ−カルニチン(L-carnitine)、アスタキサンチン(Astaxanthin)、αリポ酸(Alpha-lipoic acid)、カルノシン(carnosine)、エピガロカテキンガラート(Epigallocatechin gallate)、エチル−Ｌ−カルニチン(acetyl-L-carnitine)、クルクミン(Curcumin)、アントシアニン(Anthocyanin)、ドレボゲニンＤ(drevogenin D)、 スルフォラファン(sulforaphane)、カロテノイド(carotenoids)、葉酸(Folic Acid), ビタミンＡ(Vitamin A), ビタミンＢ(Vitamin B)、ビタミンＣ(Vitamin C)、テトラメチルピラジン(tetramethylpyrazine)、フィセチン(fisetin)、カンナビノイド(Cannabinoids)、ビタミンＥ(Vitamin E)のようなものが挙げられる。 
【００２３】
前述した薬材成分は天然生薬を粉砕または抽出攪拌して形成するのが望ましい。 
【００２４】
一例として、ルテイン成分は、浮萍、葵子、葡萄、黄豆、槿樹皮、橙子皮、葡萄根、萵苣、萵苣子、豌豆花、銀杏、▲ハマナス▼、葵花、葵花根、槿花、木賊、白果芽、黎豆衣、人蔘蘆、赤根葉に含まれており、ゼアキサンチン成分は青桑皮、桑椹子、桑葉、鬼髑髏、桃莖白皮、桃膠、桃根、桃葉、桃枝、桃核仁、桃花、橙子皮、白果芽、桑柴灰、野天麻、忍冬、金銀花、木賊、乾苔、桃奴、桃花萼、赤根葉、葡萄の生薬から抽出することができる。 
【００２５】
また、メラトニン成分は、蜂斗菜、野芋、芋頭、芋葉の生薬から抽出でき、ベータカロチン成分は、杏仁、蓖麻肉、豆腐漿、橙子皮、馬▲はく▼兒、槿樹皮、槿花、松花粉、無花果、白果芽、白菜、枇杷、松根白皮、松葉、松節油、菘菜、黎豆衣、燕窩土、臙脂、臙脂藍花、萵苣、萵苣子、豌豆花、王瓜、芋頭、乾苔、苦丁香、鬼髑髏、蘿蔔、葵子、葵花、葵花根、枇杷葉、桃莖白皮、桃膠、桃根、桃奴、桃葉、桃枝、桃核仁、桃花、雄黒豆、赤根葉、土瓜、土瓜根、蘆薈、芋葉、銀杏、桃花萼、箆麻葉、紅藍、紅花苗、▲ハマナス▼、忍冬、金銀花、胡蘆巴、馬鞭草、木賊、紅花子、黄豆のような生薬から抽出できる。 
【００２６】
クルクミン成分は鬱金、薑黄から、葉酸成分は蜜蜂窩、林檎、川歸、清蜜、人蔘蘆、人蔘から、ビタミンＢ１の成分は五加皮、麥蘖、石蜜、槐上木耳、葦葉、椿木葉、樗白皮、神麹、▲ひ▼麻葉、蘆根、乾苔、蘆花、箆麻肉から抽出可能であり、ビタミンＣ成分は赤皮葱、薺子、薺菜、朝生暮落花、青皮、椿木葉、土芝、實、地骨皮、香附米、胡蘆巴、紫蘇、葫、地楡、雀腦▲きゅう▼、菖蒲、蘆根、罌粟殼、馬歯▲けん▼、蘿蔔根、茴香、蘿蔔子、江籬、乾苔、決明葉、苦菜、馬勃、甘薯、枸杞のような生薬から抽出が可能であることから、この生薬から眼の保護と疲労回復に有用な前記薬材成分を抽出する。 
【００２７】
その他、天門冬、麥門冬、生地黄、熟地黄、白蔘、薄荷、地黄、ミカン、さつま芋、白茯苓、散藥、枸杞子、牛膝、石穀、決明子、杏仁、甘菊、菟絲子、からたちのみ、羚羊角、防風、青桑子、五味子、甘蕉, 黄蓮、▲しつ▼藜子（しつりし）、川▲きゅう▼、菊花、木賊、羌活、蔓荊子、灸甘草、黄▲ごん▼、連翹、牧丹皮、澤瀉、山茱萸、マリゴールド(金盞花)、白▲しつ▼藜、當歸、麻黄、蝉退、柴胡、升麻、人参、威靈仙、知母、陳皮、蒼朮、玄蔘、獨活、紅花子、五加皮、苦蔘、白▲し▼（びゃくし）、何首烏、黄▲ぎ▼（おうぎ）、荊芥、仏手柑、バナナ、キノコ、ブルーベリ、グリーンコーヒーベリ、緑茶、ケール、キャロット、ほうれん草、レタス、カボチャ、ブロッコリーのうち選択された一つ以上の生薬を粉碎または抽出攪拌して前記薬材成分を薬物シート１１３に含める。 
【００２８】
また、前述した生薬成分のほか、菊、レモン、オーレンジ、チェリー、石榴、ブドウ、イチゴ、バラ、ライラック、アカシア、フリージア、ユリ、ラベンダ、ペパーミント、 ジャスミン、蓬、ローズマリー、マツ、フラボノ−ル、モミ、コーヒー、仏手柑、カモマイル、サイプレス、ゼラニウム、ジュニパー、ローズクラリ、セージ、ライム、ネロリ、サンドルウッドベルガモット、ユーカリ、ライムネロリ、イランイラン（Ylang-Ylang）、パチュリー（Patchouli）、没薬、フランキンセンス、シダーウッド、サンドルウッドのような生薬材料から薬材成分を獲得することもできる。 
【００２９】
前記生薬から抽出した薬材成分を液化、ゲル化し、カプセルやパッド状に薬物シート１１３を製造してから、前記薬物シート１１３がベースフレーム１１１に結合された状態で眼の周囲に位置するようになると、薬物シート１３から排出される生薬成分が目じりの皮膚を通して体内に浸透されるので、生薬成分により疲労回復または眼疾患の改善効果を奏することができる。 
【００３０】
前記薬物シート１１３がベースフレーム１１１に対して着脱自在に結合されるようにすることで、ベースフレーム１１１は反復使用し、薬物シート１１３のみ取り替えて交換費用を最小化し、ユーザの使用目的に応じて、それから個人の好みに応じて多様な生薬成分を選択的に適用できる。 
【００３１】
前述したように、取付手段は薬物担体１１０をメガネ１０のレンズフレーム１２に取り付けるためのものである。 
【００３２】
本実施例の取付手段は、ベースフレーム１１１の前面の上端に突出されている上部取付爪１２１と、ベースフレーム１１１の前面下端に突出されている下部取付爪１２２を備える。 
【００３３】
上部取付爪１２１は端部が下方に折り曲げられており、下部取付爪１２２はリム１２の下部を支持するだけで済むので、前方に所定長さ突出した形態であるが、下部取付爪１２２も端部が上方に折り曲げられるように形成できる。 
【００３４】
本実施例のメガネ形態の着用型薬物担体器具装置１００は、上部取付爪１２１がメガネ１０のリム１２にかかるように設けることによって、薬物シート１１３が付着されたベースフレーム１１１をメガネ１０に付着し、その後メガネ１０を着用すれば薬物担体１１０に含有された生薬成分が目じりの皮膚を通して体内に浸透して薬理効果を奏するようになる。 
【００３５】
本実施例では、取付手段である取付爪がリム１２にかかって取り付けられる構造が示されたか、取付爪はリム１２のほか、テンプル１４やブリッジ１３にかかって薬物担体１１０をメガネ１０に取り付けるように形成でき、ブリッジ１３とテンプル１４が直接にレンズ１６に結合される縁なしメガネ１０の場合には取付爪がレンズ１６の上部と下部にかかるように形成することもできる。 
【００３６】
また、薬物担体１１０は、ベースフレーム１１１に接着性物質が塗布されたり、図９に示したように接着性物質を含む接着シート１２８によってメガネ１に直接に付着されるように形成できる。
【００３７】
また、図４に示したように、ベースフレーム１１１には薬物シート１１３が取り付けられる付着面に磁石が装着され、この磁石によって薬物シートに含まれている薬材成分の分子運動が活性化でき、３Ｄ ＴＶ、モニターなど多様なディスプレイ機器のように電磁波が放出される電子製品に対する電磁波の影響を最小化することができる。 
【００３８】
前記レンズ１６は視力矯正用レンズや保護用レンズが適用でき、３Ｄ ＴＶ視聴のための偏光レンズが適用されうる。そして、図５に示されているように、前記レンズ１６は一般レンズが適用され、リム１２の前方に偏光レンズ２１が装着された補助リム２０をさらに具備するようにすることもできる。 
【００３９】
図６には取付手段として永久磁石が適用された実施例が示されている。 
【００４０】
本実施例のベースフレーム１１１にはレンズフレーム１２と接触する前面に永久磁石片１２４が設けられる。 
【００４１】
本実施例のメガネ１０はフレーム１１が磁性体である金属で形成されており、ベースフレーム１１１に設けられている永久磁石片１２４によってベースフレーム１１１がメガネ１０に着脱自在に磁気結合される仕組みである。 
【００４２】
本実施例の取付手段は、金属や合成樹脂よりなるベースフレーム１１１に永久磁石片１２４が結合されて形成でき、ベースフレーム１１１それ自体が磁性を有する永久磁石で形成することもできる。
【００４３】
図７を参照すれば、取付手段はベースフレーム１１１から突出される取付突起１２６で形成されうる。 
【００４４】
リム１２には顔面に向かう内側面に取付溝１２７が形成されており、ベースフレーム１１１の前面に前記取付溝１２７に挿入できる取付突起１２６が形成され、該取付突起１２６が取付溝１２７に挿入されることによって薬物担体１１０をメガネ１０に取り付けることができる。 
【００４５】
以上では、眼の周りに薬材を供給するために薬物担体１１０をメガネ１０のフレーム１１に取り付け、眼の周りに薬材を供給できる形態の薬物担体１１０が説明されてきた。 
【００４６】
図８にはメガネ形態の着用型薬物担体器具装置２００の第２実施例が示されている。 
【００４７】
同図を参照すれば、本実施例のメガネ形態の着用型薬物担体器具装置２００は、ユーザの鼻の背に安着される薬物担体２１０と、薬物担体２１０をメガネ１０に取り付ける取付手段とを備える。
【００４８】
薬物担体２１０は中央から両端に延びるほど下方に傾斜した逆'Ｖ'字形であり、下面には薬物の含有された藥物シート２２０が備えられている。 
【００４９】
本実施例のメガネ形態の着用型薬物担体器具装置２００は鼻の背に安着されて鼻炎や鼻つまりなどを改善できる薬材の浸透を誘導するものであり、薬物シート２２０に含有された生薬成分もやはり蓮根、楡根皮、魚醒草根、金銀花のように鼻炎や蓄膿症の緩和に役に立つ生藥を抽出及び攪拌したものを適用する。
【００５０】
取付手段は前記薬物担体２１０の上面中央から上方に延びてメガネ１０のブリッジ１３にかかる連結爪２４０の形態よりなっており、薬物担体２１０の上面にはメガネ１０のノーズパッド１５が安着されるノーズパッド安着部２３０が形成されていて、薬物担体２１０がメガネ１０のノーズパッド１５の役割に代わる。 
【００５１】
前述した実施例では、薬物担体１１０が主にリム１２に設けられたことと示されているが、その他、図１０ないし図１２に示したようにテンプル１４にも取付手段を通じて薬物担体１１０が付着されて、皮膚や粘膜を通して薬物を供給できるようにする。 
【００５２】
図１０に示したように、薬物担体１１０にテンプル１４に取り付けるためのフック部材３１０を設け、該フック部材を通じてテンプル１４の先端に装着できる。テンプル１４の先端はリム１２と隣接し、メガネの着用時テンプル１４の先端部は顔面と直接に接触しないものの、眼と隣接した位置になるので、眼に生薬成分の放出が容易になる。 
【００５３】
前記薬物担体１１０をテンプル１４に取り付けるための取付手段としてベルクロテープ３２０が適用されうる。テンプル１４を包むベルクロテープ３２０を通じて薬物担体１１０をテンプル１４に取り付け、ベルクロテープ３２０は着脱しやすいので薬物担体１００を容易に取り替えられる。 
【００５４】
薬物担体１１０は前述した取付手段のほか、多様な取付手段を通じてテンプルに取り付けられる。 
【００５５】
また、図１３には薬物担体１１０をモダンに締結できる形態も示されている。 
【００５６】
薬物担体１１０を、テンプル１４の嵌め込まれる挿入溝が形成されたポケットタイプにて形成し、薬物担体１１０がモダンを包むように装着する。薬物担体１１０の薬材成分は耳の後ろの皮膚粘膜を通して皮膚内に浸透できる。 
【００５７】
そして、前記メガネは、一般の視力矯正用メガネのほか、溶接用特殊メガネや、実験用特殊メガネ、立体映像視聴用メガネのようにそれぞれの目的に合わせて形成された多様な機能性メガネも適用でき、各メガネの形態に合わせて薬物担体の形態も変形して適用することができる。 
【００５８】
図１４には機能性メガネに多数の薬物担体４１０、４２０、４３０ が装着された実施例が示されている。 
【００５９】
それぞれリム１２とブリッジ１３及びテンプル１４に設けられる第１ないし第３薬物担体４１０、４２０、４３０が設けられているが、薬物担体の構成は前述した実施例において言及した内容と同じであることから説明は省く。 
【００６０】
本実施例の場合、メガネは立体映像視聽用メガネであり、該当機能を行える機能性レンズ４５０が付着されている。 
【００６１】
この機能性レンズ４５０は視力矯正機能を有さないので、機能性レンズ４５０の前方に着用者の視力矯正のための矯正用レンズ４４１が装着された矯正レンズフレーム４４０を設けられるようになっている。 
【００６２】
矯正レンズフレーム４４０は、本実施例の場合、磁石を通じてメガネフレームと磁気結合をなすようになっているが、その他フックを用いたフック方式、接着テープや接着物質の塗布を通じた接着方式など多様な結合手段を通じてメガネフレームに設けられて、矯正された視力で立体映像を視聴できるようにする。 
【００６３】
勿論、本実施例とは違って、矯正用レンズ４４１が機能性レンズ４５０の前方に位置するように設けられ、矯正レンズフレーム４４０をメガネフレームに結合させるための結合手段も多様な形態に具現できる。 
【００６４】
図１５にはリム１２の内側に薬物シート３１０を付着できるように所定幅で離隔された二つの第１及び第２ガイド部３２１、３２２が形成されている実施例が示されている。 
【００６５】
本実施例の場合、前記第１及び第２ガイド部３２１、３２２によってその間に薬物シート３１０が付着できる付着部３２３が形成される。また、前記付着部３２３には多数個の磁石が設けられている。 
【００６６】
図１６に示されている実施例は、ベースフレーム４２０が接着剤を通じてリム１２の内側面に付着できるように形成されているが、ベースフレーム４２０の前面には薬物シート４１０の収容及び付着できる収容溝４２１が形成されており、該収容溝４２１を覆えるようにカバーフレーム４２４が設けられている。 
【００６７】
カバーフレーム４２４には薬物シート４１０の薬材成分が吐き出されるように複数の吐出孔４２５が形成されており、ベースフレーム４２０の側面には前記収容溝４２１によって形成されるベースフレーム４２０の内部空間に空気が流入できるように気孔４２２が形成されている。
【００６８】
本実施例の場合、前記ベースフレーム４２０に形成されている気孔４２２とカバーフレーム４２４に形成されている吐出孔４２５を介して空気が薬物シート４１０を通過して流動することが容易になるので、薬物シート４１０に含まれている薬材成分の発散がさらに容易になる。
【００６９】
そして、本実施例の場合、図面に示されていないが、リムまたはテンプルに視野角を狭めるためにレンズの両側を遮るための遮蔽板がさらに備えられて、画面または本に対する集中度を高めるようにすることもできる。
【００７０】
また、前記実施例の説明において、本発明の薬物担体が薬材成分を含む薬物シートとして説明されたが、薬物担体は薬物シートのほか、薬材成分が含まれている粉末や、カプセルまたはゲルタイプで形成され、図１６の実施例のように、ベースフレームとカバー フレームによって形成される充填空間に充填される形態に形成できる。 
【００７１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到しうることは明らかであり、これらについても、当然に本発明に技術的範囲に属するものと了解される。 
【産業上の利用可能性】
【００７２】
本発明のメガネ形態の着用型薬物担体器具装置は既存のメガネに付着して使用可能であることから、日常生活における活用度が高くて、産業上の利用可能性に富む。 
【図１】
2013545144.tif 000003
【図２】
2013545144.tif 000004
【図３】
2013545144.tif 000005
【図４】
2013545144.tif 000006
【図５】
2013545144.tif 000007
【図６】
2013545144.tif 000008
【図７】
2013545144.tif 000009
【図８】
2013545144.tif 000010
【図９】
2013545144.tif 000011
【図１０】
2013545144.tif 000012
【図１１】
2013545144.tif 000013
【図１２】
2013545144.tif 000014
【図１３】
2013545144.tif 000015
【図１４】
2013545144.tif 000016
【図１５】
2013545144.tif 000017
【図１６】
2013545144.tif 000018
【国際調査報告】
2013545144.tif 000019
2013545144.tif 000020
2013545144.tif 000021
2013545144.tif 000022